(57)【要約】【課題】露光装置の汚れを防止する防塵部材を露光装置と一体的に移動させる構成であっても、防塵部材に付着した塵埃により露光装置が汚れることを防止でき、良好なメンテナンス性を有した画像形成装置を得ること。【解決手段】回転する感光体と、該感光体に光を照射する露光装置と、露光装置の露光位置より感光体の回転方向上流側に配置された防塵部材と、露光装置及び防塵部材を支持する支持部材と、を有し、支持部材の移動により、露光装置及び防塵部材が感光体に対して近接した露光位置と離間した退避位置とに移動可能となされた画像形成装置において、防塵部材の先端部を、露光位置における感光体面に沿って露光装置から離れる方向に先細りの形状に形成した画像形成装置とする。【選択図】図２
2010023267.tif 000002
【特許請求の範囲】
【請求項１】
回転する感光体と、該感光体に光を照射する露光装置と、前記露光装置の露光位置より前記感光体の回転方向上流側に配置された防塵部材と、前記露光装置及び前記防塵部材を支持する支持部材と、を有し、前記支持部材の移動により、前記露光装置及び前記防塵部材が、前記感光体に対し近接した露光位置と離間した退避位置とに移動可能となされた画像形成装置において、
前記防塵部材の先端部を、前記露光位置における感光体面に沿って前記露光装置から離れる方向に先細りの形状に形成したことを特徴とする画像形成装置。
【請求項２】
前記先端部の前記感光体側の面は、前記感光体側の面と等間隔の円弧状に形成され、他方の面は傾斜面で形成されていることを特徴とする請求項１に記載の画像形成装置。
【請求項３】
前記露光位置より前記感光体の回転方向下流側に配置された防塵部材を有することを特徴とする請求項１又は２に記載の画像形成装置。
【請求項４】
前記防塵部材の前記感光体側の面が、前記露光装置方向に延伸されて形成されていることを特徴とする請求項１〜３のいずれか一項に記載の画像形成装置。
【発明の詳細な説明】
【技術分野】
【０００１】
本発明は、電子写真方式の画像形成装置に関する。
【背景技術】
【０００２】
従来より、帯電、露光及び現像によりトナー像を形成し、形成したトナー像を記録材に転写して記録材上に画像を形成する電子写真方式の画像形成装置が知られている。
【０００３】
電子写真方式の画像形成装置では、乾式の粉体トナーが一般に用いられるが、トナー、紙粉、放電生成物等の塵埃による機内汚れの懸念がある。
【０００４】
この機内汚れの問題に関し、浮遊しているトナーが露光を行う露光装置のヘッド部分に付着するのを抑制するため、感光体ドラム回転方向上流側でドラムに近接する方向と書き込み光路に近接する方向の２方向に突出した形状の空気流を整流するための防塵部材を設けたものが知られている（例えば、特許文献１参照）。
【０００５】
また、メンテナンス等で、感光体、帯電部、現像部、トナーカートリッジ、クリーニング部材等を交換する際に、露光装置を感光体に対して露光する露光位置と離間した退避位置とに回動移動可能としたものが知られている（例えば、特許文献２参照）。この特許文献２の画像形成装置においては、露光装置が退避位置となったときにＬＥＤヘッドへ傷をつけるのを防止するため、シャッタを回動させ、ＬＥＤヘッドを覆い隠すように構成されている。
【特許文献１】特開２０００−２５８９６８号公報
【特許文献２】特開２００６−７８５４２号公報
【発明の開示】
【発明が解決しようとする課題】
【０００６】
しかしながら、上記特許文献１に記載の画像形成装置では、露光装置は回動移動するが、防塵部材が固定されており、メンテナンス時に操作性が悪化する問題がある。
【０００７】
また、上記特許文献２に記載の画像形成装置においては、ＬＥＤヘッドが露光位置にあるときに、シャッタに付着したトナー等による汚れが、シャッタの回動による振動等ではがれて、ＬＥＤヘッドに付着し、露光装置の光学性能を阻害するという問題がある。
【０００８】
本発明は上記問題に鑑み、露光装置の汚れを防止する防塵部材を露光装置と一体的に移動させる構成であっても、防塵部材に付着した塵埃により露光装置が汚れることを防止でき、良好なメンテナンス性を有した画像形成装置を得ることを目的とするものである。
【課題を解決するための手段】
【０００９】
上記の目的は、下記に記載する発明により達成される。
【００１０】
（１）回転する感光体と、該感光体に光を照射する露光装置と、前記露光装置の露光位置より前記感光体の回転方向上流側に配置された防塵部材と、前記露光装置及び前記防塵部材を支持する支持部材と、を有し、前記支持部材の移動により、前記露光装置及び前記防塵部材が、前記感光体に対し近接した露光位置と離間した退避位置とに移動可能となされた画像形成装置において、前記防塵部材の先端部を、前記露光位置における感光体面に沿って前記露光装置から離れる方向に先細りの形状に形成したことを特徴とする画像形成装置。
【００１１】
（２）前記先端部の前記感光体側の面は、前記感光体側の面と等間隔の円弧状に形成され、他方の面は傾斜面で形成されていることを特徴とする（１）に記載の画像形成装置。
【００１２】
（３）前記露光位置より前記感光体の回転方向下流側に配置された防塵部材を有することを特徴とする（１）又は（２）に記載の画像形成装置。
【００１３】
（４）前記防塵部材の前記感光体側の面が、前記露光装置方向に延伸されて形成されていることを特徴とする（１）〜（３）のいずれかに記載の画像形成装置。
【発明の効果】
【００１４】
本発明によれば、露光装置の汚れを防止する防塵部材を露光装置と一体的に移動させる構成であっても、防塵部材に付着した塵埃により露光装置が汚れることを防止でき、良好なメンテナンス性を有した画像形成装置を得ることが可能となる。
【発明を実施するための最良の形態】
【００１５】
以下、実施の形態により本発明を詳しく説明するが、本発明はこれに限定されるものではない。
【００１６】
図１は、本実施の形態に係る画像形成装置の概略構成を示す図である。
【００１７】
画像形成装置は電子写真プロセスにより記録材上に画像を形成するものであり、ドラム状の感光体１の周囲に、矢印Ａで示す感光体１の回転方向に沿って、順に、帯電装置２、露光装置３、現像装置４、転写装置５及びクリーニング装置６が配置されている。
【００１８】
画像形成装置の下部には、左から順に給紙部８、転写装置５、定着装置７及び排紙部９が配置される。
【００１９】
露光装置３は、多数のＬＥＤ（発光ダイオード）素子が感光体１の回転軸方向に直交する方向に並んだＬＥＤアレイ及びＬＥＤの出力光を感光体１の表面に結像させる光学素子のアレイを有し、ＬＥＤを駆動する駆動信号に従って、感光体１をドット露光し、感光体１上に画像を形成する。
【００２０】
図１の場合、画像形成においては、感光体１が矢印Ａ方向に回転し、帯電装置２による帯電、露光装置３による露光及び現像装置４による現像により、感光体１上にトナー像が形成される。
【００２１】
トナー像の形成に同期して、給紙部８から記録材Ｐが送り出され、転写装置５により、感光体１上のトナー像が記録材Ｐに転写される。
【００２２】
記録材Ｐ上のトナー像は、記録材Ｐが定着装置７を通過する際に加熱定着される。
【００２３】
定着処理された記録材Ｐは排紙部９の排紙トレイに排出される。
【００２４】
１１は、防塵部材である。防塵部材１１は、露光位置における感光体１の回転方向（矢印Ａで示す）に関して露光装置３の上流側に配置されている。防塵部材１１と露光装置３は、支持部材１０に支持されている。支持部材１０は回動軸１０ａ周りに回動可能となされ、感光体１、帯電装置２、現像装置４、クリーニング装置６等を交換あるいは清掃する際に、露光装置３及び防塵部材１１を感光体１から離間させることができるようになっている。
【００２５】
防塵部材１１の先端は、図示の如く露光装置３が露光位置にあるとき、感光体１の面に沿って露光装置３から離れる方向に先細りの形状に形成されている。
【００２６】
図２は、本実施の形態に係る画像形成装置の防塵部材１１へのトナー等の付着状態を示す拡大模式図である。
【００２７】
同図に示すように、防塵部材１１に形成された先細り形状の先端部１１ｓの感光体１側の面は、感光体１の面と略等間隔の円弧状に形成されていることが好ましい。また、他方の面は傾斜面となっている。なお、先端部１１ｓの感光体１側の面も平面で形成されていてもよい。
【００２８】
感光体１が図示矢印Ａ方向に回転すると、感光体１の表面近傍では、感光体１に追従した気流が発生する。この感光体１に追従する気流は、防塵部材１１に形成された先端部１１ｓにより分断され、感光体１に沿った流れと、先端部１１ｓの傾斜面側への流れに分かれる。このため、気流中に含まれるトナー等の塵埃Ｃは、図示の如く、先端部１１ｓの先端から傾斜面に沿って付着することになる。
【００２９】
図３は、支持部材１０を回動軸１０ａ周りに回動させた状態を示す図である。図３（ａ）は、回動軸１０ａが感光体１の露光位置での回転方向下流側にある場合を示し、図３（ｂ）は、回動軸１０ａが感光体１の露光位置での回転方向上流側にある場合を示している。
【００３０】
図３（ａ）の場合、メンテナンス時に、支持部材１０は矢印Ｂで示すように回動軸１０ａを中心に回転して、実線で示す露光位置から破線で示す退避位置に移動し、露光装置３及び防塵部材１１も支持部材１０と共に移動する。このとき、先端部１１ｓの傾斜面に付着した塵埃Ｃは、振動等により先端部１１ｓから剥がれたとしても、図示矢印Ｄに示すように、傾斜面に沿って移動し、露光装置３側に落下することがない。
【００３１】
また、図３（ｂ）の場合には、防塵部材１１は、退避時に露光装置３の下方に位置するので、落下した塵埃Ｃが露光装置３に付着することはない。
【００３２】
すなわち、防塵部材１１の先端部１１ｓを、露光装置３の露光位置における感光体面に沿って露光装置３から離れる方向に先細りの形状に形成することで、防塵部材１１を露光装置３と一体的に移動させる構成であっても、防塵部材１１に付着した塵埃Ｃによる露光装置３の汚れを防止でき、良好なメンテナンス性を有した画像形成装置とすることができる。
【００３３】
図４は、本実施の形態に係る画像形成装置の防塵部材１１の変形例を示す図である。同図は防塵部材１１周辺の拡大模式図である。
【００３４】
同図に示す防塵部材１１は、図２に示す防塵部材１１の先端部１１ｓの感光体１側の面を、露光装置３側にも延伸して形成したものである。この場合にも、先端部１１ｓの感光体１側の面は感光体１の面と略等間隔の円弧状に形成されていることが好ましい。
【００３５】
このような形状でも上記と同様の効果を得ることができる。
【００３６】
図５は、本実施の形態に係る画像形成装置の防塵部材１１の他の変形例を示す図である。同図は防塵部材１１周辺の拡大模式図である。
【００３７】
同図に示す防塵部材１１は、図４に示したのと同様の防塵部材１１ａに加え、露光装置３の露光位置より感光体１の回転方向下流側にも防塵部材１１ｂを配置したものである。
【００３８】
この場合にも、防塵部材１１ｂの感光体１側の面は感光体１の面と略等間隔の円弧状に形成されていることが好ましい。本例のように構成することで、防塵部材１１により露光装置３の周囲を囲うことができ、露光装置３の光学素子アレイの表面以外をシールすることができ、より好ましい。
【００３９】
なお、本実施の形態においては、感光体を１つ有する画像形成装置を例にとり説明したが、これに限るものでなく、図１に示す画像形成部が複数配置されたカラー画像も形成できる画像形成装置にも、適用可能であるのはいうまでもない。この場合には、上記の防塵部材を感光体ごとに複数配置すればよい。
【図面の簡単な説明】
【００４０】
【図１】本実施の形態に係る画像形成装置の概略構成を示す図である。
【図２】本実施の形態に係る画像形成装置の防塵部材へのトナー等の付着状態を示す拡大模式図である。
【図３】支持部材を回動軸周りに回動させた状態を示す図である。
【図４】本実施の形態に係る画像形成装置の防塵部材の変形例を示す図である。
【図５】本実施の形態に係る画像形成装置の防塵部材の他の変形例を示す図である。
【符号の説明】
【００４１】
１  感光体
２  帯電装置
３  露光装置
４  現像装置
５  転写装置
６  クリーニング装置
７  定着装置
８  給紙部
９  排紙部
１０  支持部材
１１  防塵部材
Ｐ  記録材
【図１】
2010023267.tif 000003
【図２】
2010023267.tif 000004
【図３】
2010023267.tif 000005
【図４】
2010023267.tif 000006
【図５】
2010023267.tif 000007